【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
振動装置の電気−機械エネルギー変換素子の固有静電容量と、
前記電気−機械エネルギー変換素子に直列に接続された複数のインダクタと、
前記複数のインダクタの間に一端が接続され、且つ、前記電気−機械エネルギー変換素子に並列に接続されたキャパシタと、
によって構成された電気的な共振回路を備え、
前記電気的な共振回路は、少なくとも第１の共振周波数と第２の共振周波数とによる２つの共振周波数を有し、
前記第１の共振周波数をｆ１とし、前記第２の共振周波数をｆ２とし、前記電気−機械エネルギー変換素子に印加される交番電圧の周波数をｆｄとするとき、次式の関係を満たすことを特徴とする振動装置の駆動回路。
ｆ１＜ｆｄ＜ｆ２
【請求項２】
前記複数のインダクタのインダクタンス値は互いに異なり、前記電気−機械エネルギー変換素子の一端に接続されたインダクタのインダクタンスの値が他のインダクタより大きいことを特徴とする請求項１に記載の振動装置の駆動回路。
【請求項３】
前記キャパシタの値は、前記電気−機械エネルギー変換素子の固有静電容量と同じ大きさの値、またはそれよりも大きい値を有していることを特徴とする請求項１に記載の振動装置の駆動回路。
【請求項４】
前記振動装置は、第１の電気−機械エネルギー変換素子と第２の電気−機械エネルギー変換素子と、前記第１及び第２の電気−機械エネルギー変換素子に接合した弾性体とで構成され、
前記振動体に、次数の異なる第１の定在波と第２の定在波を同時に発生させるように前記交番電圧の周波数を設定すると共に、
前記第１及び第２の電気−機械エネルギー変換素子に印加されるそれぞれの交番電圧の位相を異ならせることを特徴とする請求項１乃至３のいずれか１項に記載の振動装置の駆動回路。
【請求項５】
前記振動装置は第１の電気−機械エネルギー変換素子と第２の電気−機械エネルギー変換素子と、前記第１及び第２の電気−機械エネルギー変換素子に接合した弾性体とで構成され、
前記振動体に、次数の異なる第１の定在波と第２の定在波を時間的に切替えて発生させるように前記交番電圧の周波数を設定する共に、
前記第１及び第２の電気−機械エネルギー変換素子に印加されるそれぞれの前記交番電圧の位相差を０°又は１８０°に設定することを特徴とする請求項１乃至４のいずれか１項に記載の振動装置の駆動回路。
【請求項６】
前記弾性体は、光を透過する光学部材で構成されていることを特徴とする請求項１乃至５のいずれか１項に記載の振動装置の駆動回路。
【請求項７】
前記振動装置に励起される振動波により粉体を移動させることを特徴とする請求項１乃至６のいずれか１項に記載の振動装置の駆動回路。
【請求項８】
請求項１乃至６のいずれか１項に記載の振動装置の駆動回路が、前記振動装置に励起される振動波により塵埃を移動させて除去する塵埃除去装置における振動装置の駆動回路を構成していることを特徴とする振動装置の駆動回路。
【請求項９】
前記請求項８に記載の塵埃除去装置における振動装置の駆動回路が、
カメラ、ファクシミリ装置、スキャナ、プロジェクタ、複写機、レーザビームプリンタ、インクジェットプリンタ、レンズ、双眼鏡および画像表示装置のいずれかの光学機器に備えられた塵埃除去装置における振動装置の駆動回路を構成していることを特徴とする振動装置の駆動回路。
【請求項１０】
請求項１乃至７のいずれか１項に記載の振動装置の駆動回路が、
振動型アクチュエータにおける前記振動体の駆動回路を構成していることを特徴とする振動装置の駆動回路。
【請求項１１】
前記振動装置は、弾性体と、振動波を発生させるために交番電圧が印加される電気−機械エネルギー変換素子とを有することを特徴とする請求項１乃至３のいずれか１項に記載の振動装置の駆動回路。
【請求項１２】
振動装置の電気−機械エネルギー変換素子の固有静電容量に直列に接続された第１のインダクタ及び第２のインダクタと、
前記第１のインダクタと第２のインダクタの間に一端が接続され、且つ、前記電気−機械エネルギー変換素子に並列に接続されたキャパシタと、
を有し、
前記第１のインダクタは、前記第２のインダクタを介して前記電気−機械エネルギー変換素子に接続され、
前記第１のインダクタと前記第２のインダクタはインダクタンス値が異なり、
前記電気−機械エネルギー変換素子の静電容量、前記第１のインダクタ、前記第２のインダクタ、及び前記キャパシタは電気的な共振回路を形成し、
前記電気的な共振回路は、少なくとも第１の共振周波数ｆ１及び第２の共振周波数ｆ２を有し、
前記第１の共振周波数ｆ１、前記第２の共振周波数ｆ２、及び前記電気−機械エネルギー変換素子に印加される交番電圧の周波数ｆｄは、次式の関係を満たすことを特徴とする振動装置の駆動回路。
ｆ１＜ｆｄ＜ｆ２
【請求項１３】
前記第２のインダクタのインダクタンス値は、前記第１のインダクタのインダクタンス値よりも大きいことを特徴とする請求項１２に記載の振動装置の駆動回路。
【請求項１４】
前記キャパシタは、前記電気−機械エネルギー変換素子の前記静電容量以上であることを特徴とする請求項１２または１３に記載の振動装置の駆動回路。
【請求項１５】
前記振動装置は、第１の電気−機械エネルギー変換素子と第２の電気−機械エネルギー変換素子と、前記第１及び第２の電気−機械エネルギー変換素子に接合した弾性体とを有し、
前記振動体に、次数の異なる第１の定在波と第２の定在波を同時に発生させるように前記交番電圧の周波数を設定すると共に、
前記第１及び第２の電気−機械エネルギー変換素子に印加されるそれぞれの交番電圧の位相を異ならせることを特徴とする請求項１２乃至１４のいずれか１項に記載の振動装置の駆動回路。
【請求項１６】
前記振動装置は、第１の電気−機械エネルギー変換素子と第２の電気−機械エネルギー変換素子と、前記第１及び第２の電気−機械エネルギー変換素子に接合した弾性体とを有し、
前記振動体に、次数の異なる第１の定在波と第２の定在波を異なるタイミングで切り替え可能に発生させるように、位相が互いに０°または１８０°異なる前記交番電圧を印加するように構成されていることを特徴とする請求項１２乃至１４のいずれか１項に記載の振動装置の駆動回路。
【請求項１７】
前記振動装置は、光を透過する光学部材から成る弾性体を含む請求項１２乃至１６のいずれか１項に記載の振動装置の駆動回路。
【請求項１８】
前記振動装置に励起される振動波によって粉体を移動することを特著とする請求項１２乃至１７のいずれか１項に記載の振動装置の駆動回路。
【請求項１９】
請求項１２乃至１７のいずれか１項に記載の振動装置の駆動回路が、前記振動装置に励起される振動波により塵埃を移動させて除去する塵埃除去装置における振動装置の駆動回路を構成していることを特徴とする振動装置の駆動回路。
【請求項２０】
前記請求項１９に記載の塵埃除去装置における振動装置の駆動回路が、
カメラ、ファクシミリ装置、スキャナ、プロジェクタ、複写機、レーザビームプリンタ、インクジェットプリンタ、レンズ、双眼鏡および画像表示装置のいずれかの光学機器に備えられた塵埃除去装置における振動装置の駆動回路を構成していることを特徴とする振動装置の駆動回路。
【請求項２１】
請求項１２乃至１７のいずれか１項に記載の振動装置の駆動回路が、
振動型アクチュエータにおける前記振動体の駆動回路を構成していることを特徴とする振動装置の駆動回路。
【手続補正２】
【補正対象書類名】明細書
【補正対象項目名】００１３
【補正方法】変更
【補正の内容】
【００１３】
本発明の振動装置の一様態は、電気−機械エネルギー変換素子の固有静電容量と、前記電気−機械エネルギー変換素子に直列に接続された複数のインダクタと、
前記複数のインダクタの間に一端が接続され、且つ、前記電気−機械エネルギー変換素子に並列に接続されたキャパシタと、によって構成された電気的な共振回路を備え、前記電気的な共振回路は、少なくとも第１の周波数と第２の周波数とによる２つの共振周波数を有し、前記第１の周波数をｆ１とし、前記第２の周波数をｆ２とし、前記電気−機械エネルギー変換素子に印加される交番電圧の周波数をｆｄとするとき、次式の関係を満たす振動装置の駆動回路に関する。
ｆ１＜ｆｄ＜ｆ２
また、本発明の一様態は、振動装置の電気−機械エネルギー変換素子の固有静電容量に直列に接続された第１のインダクタ及び第２のインダクタと、前記第１のインダクタと第２のインダクタの間に一端が接続され、且つ、前記電気−機械エネルギー変換素子に並列に接続されたキャパシタと、を有し、前記第１のインダクタは、前記第２のインダクタを介して前記電気−機械エネルギー変換素子に接続され、前記第１のインダクタと前記第２のインダクタはインダクタンス値が異なり、前記電気−機械エネルギー変換素子の静電容量、前記第１のインダクタ、前記第２のインダクタ、及び前記キャパシタは電気的な共振回路を形成し、前記電気的な共振回路は、少なくとも第１の共振周波数ｆ１及び第２の共振周波数ｆ２を有し、前記第１の共振周波数ｆ１、前記第２の共振周波数ｆ２、及び前記電気−機械エネルギー変換素子に印加される交番電圧の周波数ｆｄは、次式の関係を満たすことを特徴とする振動装置の駆動回路に関する。
ｆ１＜ｆｄ＜ｆ２